(57)【特許請求の範囲】
【請求項１】
複数個の入力線からそれぞれ入力される、あらかじめデータ識別情報を持つ各入力データに、各入力線を識別するための入力線識別情報を付加する入力線識別情報付加回路と、
前記入力線識別情報を付加した各入力データを多重して１本の共通線にて出力するマルチプレクサと、
前記マルチプレクサにより前記１本の共通線で出力された入力データの入力線識別情報とデータ識別情報とをそれぞれフィルタリングするフィルタと、
前記フィルタにて、フィルタリングの条件として用いる入力線識別情報と、データ識別情報とを格納したフィルタテーブルとを備え、
前記フィルタにて、前記マルチプレクサから出力したデータ内の入力線識別情報、及びデータ識別情報を、前記フィルタテーブルの情報を基にフィルタリングすることにより、所望のデータを取り出す、
ことを特徴とする多重分離回路。
【請求項２】
請求項１に記載の多重分離回路において、
前記入力線識別情報付加回路は、前記あらかじめデータ識別情報を持つ各入力データ内の、多重分離処理に影響しない任意の領域を、前記入力線識別情報に置き換える、
ことを特徴とする多重分離回路。
【請求項３】
請求項１に記載の多重分離回路において、
前記フィルタは、前記入力線識別情報、及び前記データ識別情報を１つのテーブルとして格納する前記フィルタテーブルにより、前記マルチプレクサから出力された入力データの入力線識別情報とデータ識別情報とを、１回の処理で同時にフィルタリングする、
ことを特徴とする多重分離回路。
【請求項４】
請求項３に記載の多重分離回路において、
前記入力線識別情報と前記データ識別情報とを、１回の処理で同時にフィルタリングする代わりに、前記入力線識別情報と、前記データ識別情報とを前記フィルタ内、及び前記フィルタテーブル内に各々個別に設け、
前記入力線識別情報、及び前記データ識別情報を各々個別にフィルタリングする、
ことを特徴とする多重分離回路。
【請求項５】
請求項３または４に記載の多重分離回路において、
前記フィルタは、前記フィルタテーブルに新たなフィルタリングの条件を追加することにより、前記入力データの入力線識別情報、及びデータ識別情報と同時に複数のフィルタリングの条件によるフィルタリングを行なうことができる、
ことを特徴とする多重分離回路。
【請求項６】
請求項１に記載の多重分離回路において、
前記フィルタの出力データに含まれる、前記入力線識別情報付加回路により前記入力線識別情報に置き換えられた領域を、元のビット状態に戻す入力線識別情報チェック回路を備える、
ことを特徴とする多重分離回路。
【請求項７】
請求項１に記載の多重分離回路において、
前記入力線識別情報付加回路の、各入力線のいずれかに対応する入力線識別情報を所望の入力線識別情報に変更する入力線識別情報変換テーブルを備える、
ことを特徴とする多重分離回路。
【請求項８】
請求項１に記載の多重分離回路において、
前記入力線識別情報付加回路の前段に、複数のチューナーを配置した場合、該チューナーの個数に応じた、複数の異なった放送電波からのデータの処理を行なう、
ことを特徴とする多重分離回路。
【発明の詳細な説明】
【０００１】
【発明の属する技術分野】
本発明は、LSI(Large Scale Integrated Circuit)の多重分離回路に関するものであり、特に、複数個の入力線から入力されるデータを多重分離処理する多重分離回路に関するものである。
【０００２】
【従来の技術】
デジタルテレビ放送の普及に伴い、その受信機、いわゆるテレビ、の大部分がデジタル処理回路を備えるものとなってきた。また、従来はアナログラインにて接続されていた録画機器、いわゆるビデオ、やゲーム機なども、テレビとの接続にデジタルラインを用いるように変わってきた。さらにＤＶＤプレーヤ、デジタルビデオカメラ、携帯電話など、いわゆるデジタル家電の登場によって、テレビとの接続が求められる機器も非常に増えてきている。
【０００３】
例えば、図７に模式図で示したような、一般的な従来のデジタルテレビ放送を受信するテレビにおいては、アンテナ（図示せず）にて受信した各放送局から送信された複数の多重化された信号のうちの１つをチューナ７１にて選び、これを復調回路７２にて復調し、この復調により得られた信号を多重分離回路７３にて分離して、復調により得られた信号から１つの番組を選んだ後、ＡＶデコーダ７４にてアナログ画像に変換してテレビ画面に表示する、といった一本の処理ラインにより、ユーザの望む番組の受信を済ますことができた。
【０００４】
ところが、今日のように多数のデジタル家電が接続できるようになると、例えば、前記図７に示した従来のテレビにおいて、受信した放送の番組の１つをビデオテープレコーダ等に出力して録画しながら、ＤＶＤプレーヤから入力される映像信号の再生を行なう、などといった複数のデータ処理が求められる。この場合、多重分離回路７３は２種類のデータを処理する必要がある。また、ハードディスク録画装置のように入力処理と出力処理とが同時にできる装置の登場により、この装置との接続が求められる多重分離回路としては３種類以上のデータの同時処理を行えるものが必要となる。
このように、近年、複数の多重化された入力信号に対して多重分離を行うことができる多重分離回路が必要となってきている。
【０００５】
従来の多重分離回路の一例としては、特開平10-328382号公報のようなものがある。この多重分離回路は１種類のデータの多重分離機能しか持たないものである。これに対し、複数のデータを処理する多重分離回路の一例として、特開平11-181925号公報がある。この多重分離回路は複数のデータ処理を施すために入力されるデータの種類数分だけ多重分離回路を並列に持つものである。したがって、この従来の多重分離回路において、３種類の入力に対してデータ処理が必要な場合は３つの多重分離回路、４種類ならば４つの多重分離回路を持つ必要がある。
【０００６】
【発明が解決しようとする課題】
このような、ひとつの多重化されたデータ入力に対して多重分離を行う多重分離回路を、入力データ数分だけ備えた多重分離回路においては、多重分離回路同士が互いが独立しているため多重分離の処理がしやすい一方、同等の構成の回路を複数備えるため回路規模が大きくなるという問題がある。また、多重分離のための条件を格納するメモリ類も、それぞれの回路にあわせて個別に持つ必要があり、回路規模が大きくなるとともに、使用効率が悪くなるという問題も生じる。
【０００７】
近年このような多重分離回路は、他の回路とともに、ひとつのLSIに集積されるが、多重分離回路の回路規模の増大は、回路を内蔵するLSIのコストアップに直結するという問題点がある。また、省電力化の観点からも望ましくない。したがって、回路規模を最小限に押さえながら、多種の多重化されたデータを同時に処理できる多重分離回路が求められる。
【０００８】
本発明は、上記のような問題を解消するためになされたものであり、複数個の入力線から入力された入力データを１つの回路で同時に多重分離処理できる多重分離回路を提供することを目的とする。
【０００９】
【課題を解決するための手段】
このような問題を解決するために、本発明の請求項１に記載の多重分離回路は、複数個の入力線からそれぞれ入力される、あらかじめデータ識別情報を持つ各入力データに、各入力線を識別するための入力線識別情報を付加する入力線識別情報付加回路と、前記入力線識別情報を付加した各入力データを多重して１本の共通線にて出力するマルチプレクサと、前記マルチプレクサにより前記１本の共通線で出力された入力データの入力線識別情報とデータ識別情報とをそれぞれフィルタリングするフィルタと、前記フィルタにて、フィルタリングの条件として用いる入力線識別情報と、データ識別情報とを格納したフィルタテーブルとを備え、前記フィルタにて、前記マルチプレクサから出力したデータ内の入力線識別情報、及びデータ識別情報を、前記フィルタテーブルの情報を基にフィルタリングすることにより、所望のデータを取り出すものである。
【００１０】
また、本発明の請求項２に記載の多重分離回路は、請求項１に記載の多重分離回路において、前記入力線識別情報付加回路は、前記あらかじめデータ識別情報を持つ各入力データ内の、多重分離処理に影響しない任意の領域を、前記入力線識別情報に置き換えるものである。
【００１１】
また、本発明の請求項３に記載の多重分離回路は、請求項１に記載の多重分離回路において、前記フィルタは、前記入力線識別情報、及び前記データ識別情報を1つのテーブルとして格納する前記フィルタテーブルにより、前記マルチプレクサから出力された入力データの入力線識別情報とデータ識別情報とを、１回の処理で同時にフィルタリングするものである。
【００１２】
また、本発明の請求項４に記載の多重分離回路は、請求項３に記載の多重分離回路において、前記入力線識別情報と前記データ識別情報とを、１回の処理で同時にフィルタリングする代わりに、前記入力線識別情報と、前記データ識別情報とを前記フィルタ内、及び前記フィルタテーブル内に各々個別に設け、前記入力線識別情報、及び前記データ識別情報を各々個別にフィルタリングするものである。
【００１３】
また、本発明の請求項５に記載の多重分離回路は、請求項３または４に記載の多重分離回路において、前記フィルタは、前記フィルタテーブルに新たなフィルタリングの条件を追加することにより、前記入力データの入力線識別情報、及びデータ識別情報と同時に複数のフィルタリングの条件によるフィルタリングを行なうことができるものである。
【００１４】
また、本発明の請求項６に記載の多重分離回路は、請求項１に記載の多重分離回路において、前記フィルタの出力データに含まれる、前記入力線識別情報付加回路により前記入力線識別情報に置き換えられた領域を、元のビット状態に戻す入力線識別情報チェック回路を備えるものである。
【００１５】
また、本発明の請求項７に記載の多重分離回路は、請求項１に記載の多重分離回路において、前記入力線識別情報付加回路の、各入力線のいずれかに対応する入力線識別情報を所望の入力線識別情報に変更する入力線識別情報変換テーブルを備えるものである。
【００１６】
また、本発明の請求項８に記載の多重分離回路は、請求項１に記載の多重分離回路において、前記入力線識別情報付加回路の前段に、複数のチューナーを配置した場合、該チューナーの個数に応じた、複数の異なった放送電波からのデータの処理を行なうものである。
【００１７】
【発明の実施の形態】
（実施の形態１）
図１は、本発明の実施の形態１に係る多重分離回路の構成を示す図であり、図において、入力線識別情報付加回路２は、外部から複数個の入力線１を介して入力される複数の多重化された入力データ内の、多重分離処理に影響しない任意の領域を入力線識別情報に置き換えて、マルチプレクサ４に出力線３を介して出力する。この入力される各入力データはパケット形式となっており、各パケットには予めデータを識別する情報であるパケット識別情報（以下、PIDと称す）が与えられている。本実施の形態１においては、複数の入力線として、第１〜４の入力１ａ〜１ｄの４入力を有している。マルチプレクサ４は、入力線識別情報が付与された複数個の入力データを1本の出力線５へ多重化して出力する。フィルタ６は、出力線５から得られる多重化された信号を、接続線８を介して得られるフィルタテーブル７内のデータを参照してフィルタリングし、フィルタリングした入力データを出力線９に出力する。フィルタテーブル７は、フィルタ６により通過させる各データについての、入力線識別情報とデータ識別情報との組み合わせを一つのテーブルデータとして格納したメモリ等の記憶素子である。必要に応じて内部のデータは更新される。上述したフィルタ６は、出力線５から入力されたデータに含まれる入力線識別情報及びデータ識別情報の組み合わせと、フィルタテーブル７に格納されている入力線識別情報及びデータ識別情報の組み合わせとを比較し、両方の情報が一致する場合に、この一致した入力データをフィルタリング結果のデータとして出力線９に出力する。
【００１８】
以上のように構成された多重分離回路について、以下、その動作を説明する。なお、ここでは、入力線１から入力される入力データは、デジタルテレビなどで用いられるMPEG2トランスポートストリームパケット(以下、TSパケットと称す)であると仮定するが、本発明においてはデータ識別情報を有するパケット形式のデータならば同様に考えることができる。
【００１９】
図２は本発明の実施の形態１に係る多重分離回路に入力されるTSパケットのデータ形式を説明するための図（図２(a))及びTSパケットに入力線識別情報（以下TSIDと称す）２５を付加した状態を説明するための図（図２(b))であり、図において、TSパケットは、同期バイト１０、TSパケットがあらかじめ持つデータ識別情報であるPID１２、データが格納されているペイロード２４、及びスクランブル制御情報１３を有している。このようなTSパケットには、通常、多重分離処理には利用されず、データを置き換えても多重分離処理には直接影響を与えない任意のデータ領域をTSパケット内のいずれかの位置に含んでおり、ここでは、同期バイト１０とPID１２との間にこのような多重分離処理に影響を与えない領域１１を含んでいるものとする。そして、上述した入力線識別情報（ＴＳＩＤ）２５は、図２(b)に示されるように、この多重分離処理に影響を与えない領域１１の一部と置換されている。
【００２０】
図３は本発明の実施の形態１に係る多重分離回路のフィルタテーブル７内の記憶情報を説明するための模式図であり、図３(a)に示すTSIDフィルタテーブルとPIDフィルタテーブルとを１つにまとめた図３(b)に示すTSID/PIDフィルタテーブルがフィルタテーブル７内に格納されている。TSID/PIDフィルタテーブルの各行のTSID及びPIDは、フィルタ６を通過させるデータを指定する条件となるTSIDとPIDとの組み合わせである。
【００２１】
まず、図１に示した入力線１の第１の入力１ａ〜第４の入力１ｄに入力された４つのTSパケットが、入力線識別情報付加回路２に入力される。入力線識別情報付加回路２は、図２(b)に示すように、TSパケットの多重分離処理に影響しない任意の領域１１の内の２ビット分を、それぞれ入力線識別情報（ＴＳＩＤ）２５に置き換えて、入力線識別情報付加回路２の出力線３に出力する。例えば、第１の入力１ａから入力された第１のTSパケットに対しては、TSIDとして“００”を置き換え、同様に入力２から入力された第２のTSパケットに対しては“０１”、入力３から入力された第３のTSパケットに対しては“１０”、入力４から入力された第４のTSパケットに対しては“１１”を、それぞれ置き換える。
【００２２】
次に、マルチプレクサ４は、入力線識別情報付加回路２でTSIDを付加した各TSパケットを、１本の出力線に多重して出力線５へ出力する。
フィルタ６は、TSIDを与えられたTSパケットが出力線５から入力されると、入力されたTSパケットに対し同時に一括してTSIDとPIDとについてのフィルタリングを行う。具体的には、図３に示したフィルタテーブル７のTSID/PIDフィルタテーブルの各行のデータを読み出し、TSパケットのTSID及びPIDがフィルタテーブル７に記憶されているTSID/PIDフィルタテーブルのいずれかの行のTSID及びPIDの値に一致するかを判定し、一致するものがある場合には、そのTSIDとPIDとが付与されているTSパケットを出力線９へ出力し、次段の回路への入力とする。また、TSパケットのTSIDとPIDとがTSID/PIDフィルタテーブルのいずれかの行のTSID及びPIDの値に一致しない場合、即ちフィルタテーブル７に記憶されたフィルタ条件に一致しない場合は、バッファメモリ（図示せず）などにフィルタ条件に一致しなかったTSパケットを一時的に格納させ、後に一括して削除する。これにより、所定の入力線から入力されたTSパケットのうちの、所定のPIDをもつTSパケットのみをフィルタにより分離して取り出すこととなる。
【００２３】
また、フィルタテーブル７に、新たなフィルタ条件を追加することによって、TSID/PIDと同時にスクランブル制御情報１３など他のフィルタ条件をフィルタリングする機能を実現できる。
【００２４】
以上のように、本実施の形態１によれば、入力線識別情報付加回路２により、複数個の入力線１から入力されたTSパケットの多重分離処理に影響しない任意の領域１１を入力線識別情報（TSID）２５に置き換え、このTSIDの値を条件としてフィルタ６によりフィルタリングを行うようにしたので、１つの回路で複数個の入力TSパケットの多重分離処理を行うことができるため、ロジック回路の規模を最小限の大きさに留めることができ、この多重処理回路をLSIに組み込む場合には、LSI全体の回路規模の小型化を図ることができ、LSIのコストの削減を可能とすることができる。
【００２５】
また、フィルタ６とフィルタテーブル７とで、TSパケットのTSIDとPIDとを同時に一度にフィルタリングできるようにしたので、フィルタ個数とフィルタテーブル個数をそれぞれ１つにすることができ、回路面積及びメモリ個数の削減を行うことができる。
【００２６】
なお、本実施の形態１においては、入力線を４つとした場合について説明したが、本発明においては、入力TSパケットの多重分離処理に影響しない領域１１のうちのｎ(ｎは自然数)ビットの領域を確保し、それをｎビットのTSIDに置き換えることによって、入力線識別情報付加回路２の入力数を最大２n個として、２n個までの入力数に対応できるようにすることができる。
【００２７】
また、本実施の形態１においては、フィルタリング処理としてTSIDとPIDとについてのフィルタリングのみを行う場合について説明したが、本発明は、入力線識別情報付加回路２に入力されるデータ形式が、多重分離処理に影響しない任意の領域を有し、かつフィルタリング処理が必要なものであれば、パケット形式ではないデータの処理においても適用可能である。
【００２８】
（実施の形態２）
本発明の実施の形態２に係る多重分離回路は、入力線識別情報とデータ識別情報とを、１回の処理で同時にフィルタリングする代わりに、前記入力線識別情報と、前記データ識別情報とを前記フィルタ内、及び前記フィルタテーブル内に各々個別に設け、前記入力線識別情報、及び前記データ識別情報を各々個別にフィルタリングするものである。
【００２９】
図８は本発明の実施の形態２に係る多重分離回路の構成を示すブロック図であり、この多重分離回路は、上記実施の形態１にて説明した多重分離回路におけるフィルタ６の代わりに、TSIDフィルタ部２６ａとPIDフィルタ部２６ｂとを備えたフィルタ２６を設け、フィルタテーブル７の代わりに、接続線２８ａ、２８ｂを介してそれぞれTSIDフィルタ部２６ａとPIDフィルタ部２６ｂにフィルタ条件となるテーブルデータを与えるTSIDフィルタテーブル２７ａ及びPIDフィルタテーブル２７ｂを備えたフィルタテーブル２７を設けるようにしたものである。
【００３０】
図において、図１と同一符号は実施の形態１と同一、または相当する部分を示しており、TSIDフィルタ部２６ａは、マルチプレクサ４により多重化され、出力線５を介して入力されたTSパケットのTSIDを、TSIDフィルタテーブル２７ａから接続線２８ａを介して得られるフィルタ条件となるテーブルデータと比較し、一致するものがある場合には、TSパケットをPIDフィルタ部２６ｂに出力する。PIDフィルタ部２６ｂはTSIDフィルタ部２６ｂより得られるTSパケットのPIDを、PIDフィルタテーブル２７ｂから接続線２８ｂを介して得られるフィルタ条件となるテーブルデータと比較し、一致するものがある場合には、そのTSパケットを、フィルタ２６のフィルタリング結果として出力線９に出力する。
【００３１】
図９(a)は本実施の形態２に係るTSIDフィルタテーブル２７ａのテーブルデータ、図９(b)はPIDフィルタテーブル２７ｂのテーブルデータの一例をそれぞれ示している。TSIDフィルタテーブル２７ａには、TSIDフィルタ部２６ａを通過させるデータを指定する条件となるTSIDが格納されており、このTSIDフィルタテーブル２７ａに格納されているTSIDの値と同じ値のTSIDを持つTSパケットがTSIDフィルタ部２６ａを通過できる。PIDフィルタテーブル２７ｂには、PIDフィルタ部２６ｂを通過させるデータを指定する条件となるPIDが格納されており、このPIDフィルタテーブル２７ｂに格納されているPIDの値と同じ値のPIDを持つTSパケットがPIDフィルタ部２６ｂを通過できる。
【００３２】
次に本実施の形態２に係る多重分離回路の動作について説明する。なお、上記実施の形態１と同様の部分についての説明はここでは省略する。
フィルタ２６に、出力線５を介してマルチプレクサ４により多重化されたTSパケットが入力されると、TSIDフィルタ部２６ａは、このTSパケットのTSIDと、TSIDフィルタテーブル２７ａから接続線２８ａを介して得られるフィルタ条件となるテーブルデータとを比較する。そして、一致するTSIDがTSIDフィルタテーブル２７ａ内にある場合には、TSパケットをPIDフィルタ部２６ｂに出力する。また、一致するTSIDがない場合には、バッファメモリ（図示せず）などにフィルタ条件に一致しなかったTSパケットを一時的に格納させ、後に一括して削除する。PIDフィルタ部２６ｂはTSIDフィルタ部２６ｂを通過したTSパケットのPIDと、PIDフィルタテーブル２７ｂから接続線２８ｂを介して得られるフィルタ条件となるテーブルデータとを比較し、一致するPIDがPIDフィルタテーブル２７ｂ内にある場合には、そのTSパケットを、フィルタ２６のフィルタリング結果として出力線９に出力する。また、一致するPIDがない場合には、バッファメモリ（図示せず）などにフィルタ条件に一致しなかったTSパケットを一時的に格納させ、後に一括して削除する。
【００３３】
なお、上記実施の形態２においては、TSパケットをTSIDフィルタ部２６ａによりフィルタリングした後に、PIDフィルタ部２６ｂによりフィルタリングを行うようにしたが、本発明においては、PIDフィルタ部２６ｂによりフィルタリングした後にTSIDフィルタ部２６ａによりフィルタリングを行うようにしてもよく、このような場合においても上記実施の形態２と同様の効果を奏する。
【００３４】
また、フィルタテーブル２７に、新たなフィルタ条件を追加することによって、TSID/PIDと同時にスクランブル制御情報１３など他のフィルタ条件をフィルタリングする機能を実現できる。
以上のような本発明の実施の形態２に係る多重分離回路は、上記実施の形態１と同様の効果を奏する多重分離回路が得られる。
また、入力データによっては、入力線識別情報、及びデータ識別情報のいずれか１つでフィルタリングが済むことを可能にするので、効率のよいフィルタリングができる効果がある。
【００３５】
（実施の形態３）
本発明の実施の形態３に係る多重分離回路は、次段の内部回路への悪影響をなくすため、入力線識別情報を付加された入力データを元のビット状態に戻して、出力するものであり、また、最適な入力ＴＳパケットの配分を行なうために、入力データの入力線識別情報を変換するものである。
【００３６】
図４は本発明の実施の形態３に係る多重分離回路の構成を示すブロック図であり、図において図１と同一符号は実施の形態１と同一、または相当する部分を示している。入力線識別情報チェック回路１５はフィルタ６から出力されたTSパケットのTSIDをチェックし、このTSIDに置き換えられた領域をTSIDに置換する前の元の状態に戻し、戻したTSパケットを出力線１８から出力する。制御回路１６は図示しない内部制御回路からの命令２０に基づいてTSID変換テーブル１７にTSIDを変換させるための命令を発信する。TSID変換テーブル１７は、制御回路１６からTSIDを変換させるための命令を受け取ると、この命令にあわせて、入力識別情報付加回路２において入力データに付加するTSIDを変換させる。
【００３７】
図５は、TSID変換テーブル１７に格納されている変換データを説明する図であり、各第１〜４の入力１ａ〜１ｄに対応した変換前のTSIDと、変換後のTSIDとを示している。図中斜線で示した部分は、変換前と変換後のTSIDとでTSIDの値が異なる部分、即ち変換の対象となるTSIDである。
【００３８】
次に、本実施の形態３に係る多重分離回路の動作について説明する。なお、前記実施の形態１と同様の部分についての説明はここでは省略する。
出力線９に出力したTSパケットは、入力線識別情報チェック回路１５でTSIDをチェックされ、多重分離処理に影響しない任意の領域１１内のTSIDに置き換えていた領域を、入力線識別情報付加回路２に入力される直前の状態、即ち元のビット状態に変換してから、出力線１８に出力される。
【００３９】
制御回路１６は、内部制御回路（図示せず）から入力される命令２０に基づいて、TSID変換テーブル１７に対して、現在指定した入力線から入力されるデータに対しTSIDとして付加しているデータを内部の制御回路から指定された別のTSIDに変換するように制御信号を出す。
【００４０】
内部制御回路としては、常に入力されるTSパケットの負荷状態を監視していて、入力線１それぞれの入力負荷が最適となるよう、第１〜第４の入力を切り替えるための制御信号を制御回路１６へ送るものが考えられる。また、この内部制御回路は、TSID変換テーブル１７を変換するタイミング情報も同時に制御回路１６へ送るようにする。
【００４１】
TSID変換テーブル１７は、TSID制御回路１６からの制御信号に基づいて、指定されたTSIDを別の指定されたTSIDへ変換する。例えば、図５においては、変換対象となるTSID’１０’をTSID’００’に変換する例を示している。入力線識別情報付加回路２は、TSパケットに付加するTSIDのうちの、TSID変換テーブル１７により指定されたTSIDを、別の指定されたTSIDに変換する。そして、入力線１に入力されたTSパケットの多重分離処理に影響しない任意の空き領域１１をTSID変換テーブル１７に基づいたTSIDに置き換えて、マルチプレクサ４へ送る。以下、フィルタ６からの動作は、上述した実施の形態１と同様である。
【００４２】
以上のように、本発明の実施の形態３によれば、入力線識別情報チェック回路１５によりTSIDを付加されたTSパケットを、入力線識別情報付加回路２に入力される直前の状態、即ち元の状態へ変換することができ、出力線１８に接続される次段の回路へのTSIDを付加したことによる悪影響を全くないものとすることができる。
【００４３】
また、入力されるTSパケットの負荷状態を監視する内部回路等から出力される制御信号（命令２０）を制御回路１６が処理し、TSID変換テーブル１７を介して入力情報付加回路２を操作してTSパケットに対して付加するTSIDを変換するようにしたので、TSパケットの負荷状態に応じて入力線を切り替えることができ、最適な入力TSパケットの配分を行うことが可能となる。また、TSIDを変換することで、複数個の同種類の入力データを異なる入力線から入力することも可能となる。
【００４４】
（実施の形態４）
本発明の実施の形態４に係る多重分離回路は、入力線識別情報付加回路の前段に、複数のチューナーを配置した場合、チューナーの個数に応じた、異なった放送電波からのデータの多重分離処理を行なうものである
図６は、本発明の実施の形態４に係る多重分離回路の構成を示すブロック図であり、図において、図１と同一符号は実施の形態１と同一または相当する部分を示しており、第１のチューナ１９及び第２のチューナ２０はそれぞれ互いに異なる高周波入力２１及び２２である放送電波からTSパケットを取り出す処理を行う。
【００４５】
次に、本実施の形態４に係る多重分離回路の動作について説明する。アンテナ等（図示せず）で受信された高周波入力２１は第１のチューナ１９へ入力されTSパケットが取り出される。取り出されたTSパケットは、入力線1の第１の入力１ａとして入力線情報付加回路２に入力される。同様に高周波入力２２は第２のチューナ２０へ入力されTSパケットが取り出され、入力線１の第２の入力１ｂとして入力線識別情報付加回路２に入力される。入力線識別情報付加回路２は第１のチューナ１９及び第２のチューナ２０で取り出されたTSパケットの多重分離処理に影響しない任意の領域１１をTSIDに置き換える。以降の処理は、前記実施の形態１で述べた動作と同じである。
【００４６】
なお、本実施の形態４においては、チューナの個数を２つとしたが、本発明においては、チューナを、最大、入力線識別情報付加回路２の入力数分だけ用意し、これらをそれぞれ入力線１の各入力として接続するようにしてもよい。
【００４７】
以上のような、本実施の形態４にかかる多重分離回路は、入力線識別情報付加回路２の前段に複数のチューナ１９，２０を配置し、それぞれのチューナ１９，２０からのTSパケットの多重分離処理に影響しない任意の領域１１を入力線識別情報（TSID）２５に置きかえるようにしたので、チューナの個数に応じた異なった規格の放送電波からのデータを多重分離処理することが可能となる。これにより従来、BS衛星放送、CS衛星放送、ケーブル放送等、放送の種類に対応した多重分離処理回路を用意しなければならなかったものを、１つの多重分離回路で処理可能とすることができる。
【００４８】
【発明の効果】
以上のように本発明の請求項１に係る多重分離回路によれば、複数個の入力線からそれぞれ入力される、あらかじめデータ識別情報を持つ各入力データに、各入力線を識別するための入力線識別情報を付加する入力線識別情報付加回路と、前記入力線識別情報を付加した各入力データを多重して１本の共通線にて出力するマルチプレクサと、前記マルチプレクサにより前記１本の共通線で出力された入力データの入力線識別情報とデータ識別情報とをそれぞれフィルタリングするフィルタと、前記フィルタにて、フィルタリングの条件として用いる入力線識別情報と、データ識別情報とを格納したフィルタテーブルとを備え、前記フィルタにて、前記マルチプレクサから出力したデータ内の入力線識別情報、及びデータ識別情報を、前記フィルタテーブルの情報を基にフィルタリングすることにより、所望のデータを取り出すので、複数個の入力線から入力された入力データを１つの回路で同時に効率よく多重分離処理できるとともに、処理回路が1つであるためロジック回路規模を最小限に留めて、LSI全体の回路面積の小型化を可能とし、LSIコストの削減を行うことができる多重分離回路を提供できる効果がある。
【００４９】
また、本発明の請求項２に係る多重分離回路によれば、請求項１に記載の多重分離回路において、前記入力線識別情報付加回路は、前記あらかじめデータ識別情報を持つ各入力データ内の、多重分離処理に影響しない任意の領域を、前記入力線識別情報に置き換えるので、複数個の入力線から入力された入力データを１つの回路で同時に効率よく多重分離処理できる多重分離回路を提供できる効果がある。
【００５０】
また、本発明の請求項３に係る多重分離回路によれば、請求項１に記載の多重分離回路において、前記フィルタは、前記入力線識別情報、及び前記データ識別情報を１つのテーブルとして格納する前記フィルタテーブルにより、前記マルチプレクサから出力された入力データの入力線識別情報とデータ識別情報とを、１回の処理で同時にフィルタリングするので、参照するフィルタテーブルが１つで済み、メモリ個数の大幅な削減とメモリ容量の有効な使用とを行うことができる多重分離回路を提供できる効果がある。
【００５１】
また、本発明の請求項４に係る多重分離回路によれば、請求項３に記載の多重分離回路において、前記入力線識別情報と前記データ識別情報とを、１回の処理で同時にフィルタリングする代わりに、前記入力線識別情報と、前記データ識別情報とを前記フィルタ内、及び前記フィルタテーブル内に各々個別に設け、前記入力線識別情報、及び前記データ識別情報を各々個別にフィルタリングするので、複数個の入力線から入力された入力データを１つの回路で同時に効率よく多重分離処理できるとともに、処理回路が１つであるためロジック回路規模を最小限に留めて、LSI全体の回路面積の小型化を可能とし、LSIコストの削減を行うことができる多重分離回路を提供でき、また、入力データによって、入力線識別情報、及びデータ識別情報のいずれか１つでフィルタリングすることを可能にするので、効率のよいフィルタリングをできる効果がある。
【００５２】
また、本発明の請求項５に係る多重分離回路によれば、請求項３または４に記載の多重分離回路において、前記フィルタは、前記フィルタテーブルに新たなフィルタリングの条件を追加することにより、前記入力データの入力線識別情報、及びデータ識別情報と同時に複数のフィルタリングの条件によるフィルタリングを行なうことができるので、入力線識別情報、及びデータ識別情報のフィルタリングの条件に加えて、ＴＳパケットのスクランブル制御情報などの他のフィルタリングの条件をも含むフィルタテーブルの情報に基づいて、入力データをフィルタリングする機能を実現できる効果がある。
【００５３】
また、本発明の請求項６に係る多重分離回路によれば、請求項１に記載の多重分離回路において、前記フィルタの出力データに含まれる、前記入力線識別情報付加回路により前記入力線識別情報に置き換えられた領域を、元のビット状態に戻す入力線識別情報チェック回路を備えるので、入力線識別情報を付加したことによる次段の回路への悪影響を全くないものとすることができる多重分離回路を提供することができる効果がある。
【００５４】
また、本発明の請求項７に係る多重分離回路によれば、請求項１に記載の多重分離回路において、前記入力線識別情報付加回路の、各入力線のいずれかに対応する入力線識別情報を所望の入力線識別情報に変更する入力線識別情報変換テーブルを備えるので、TSパケットの負荷状態に応じて入力線を切り替えることができ、最適な入力TSパケットの配分を行うことが可能となり、また、TSIDを変換することで、複数個の同種類の入力データを異なる入力線から入力することができる効果がある。
【００５５】
また、本発明の請求項８に係る多重分離回路によれば、請求項１に記載の多重分離回路において、前記入力線識別情報付加回路の前段に、複数のチューナーを配置した場合、該チューナーの個数に応じた、複数の異なった放送電波からのデータの処理を行なうので、ＢＳ放送、ＣＳ放送、及びケーブル放送等の異なった規格の放送電波からのデータを、１つの回路で同時に効率よく多重分離処理できる多重分離回路を提供できる効果がある。
【図面の簡単な説明】
【図１】本発明の実施の形態１に係る多重分離回路の構成を示すブロック図。
【図２】本発明の実施の形態１に係る多重分離回路に入力されるトランスポートストリーム形式データの概略図。
【図３】本発明の実施の形態１に係る多重分離回路のフィルタテーブルを説明する図。
【図４】本発明の実施の形態３に係る多重分離回路の構成を示すブロック図。
【図５】本発明の実施の形態３に係る多重分離回路のTSID変換テーブルを説明するための図。
【図６】本発明の実施の形態４に係る多重分離回路の構成を示すブロック図。
【図７】従来の多重分離回路の構成を示すブロック図
【図８】本発明の実施の形態２に係る多重分離回路の構成を示すブロック図。
【図９】本発明の実施の形態２に係る多重分離回路のフィルタテーブルを説明する図。
【符号の説明】
１  入力線
２  入力線識別情報付加回路
３  入力線識別情報付加回路の出力線
４  マルチプレクサ(MUX)
５  マルチプレクサ(MUX)の出力線
６  フィルタ
７  フィルタテーブル
８  接続線
９  出力線
１０  同期バイト
１１  多重分離処理に影響しない任意の領域
１２  PID
１３  スクランブル制御情報
１５  入力線識別情報チェック回路
１６  制御回路
１７  TSID変換テーブル
１８  出力線
１９  第１のチューナ
２０  第２のチューナ
２１  第１の高周波入力
２２  第２の高周波入力
２４  ペイロード
２５  TSID（入力線識別情報）
２６  フィルタ
２６ａ  TSIDフィルタ部
２６ｂ  PIDフィルタ部
２７  フィルタテーブル
２７ａ  TSIDフィルタテーブル
２７ｂ  PIDフィルタテーブル
２８ａ，２８ｂ  接続線
【図１】
0003769477.tif 000002
【図２】
0003769477.tif 000003
【図３】
0003769477.tif 000004
【図４】
0003769477.tif 000005
【図５】
0003769477.tif 000006
【図６】
0003769477.tif 000007
【図７】
0003769477.tif 000008
【図８】
0003769477.tif 000009
【図９】
0003769477.tif 000010